(57)【要約】【課題】良いマーケティング戦略を立案し易くするマーケティング支援技術を提供する。【解決手段】顧客化ステップを構成する複数の過程をそれぞれ指標化した各顧客化ステップ指標を用意し、各顧客化ステップ指標に要因種類を分類することにより分類管理情報を構築する。マーケティングダッシュボードは、その分類関係情報と、実績値群とに基づいて、目的実績値と顧客化ステップ指標値との関係性を構築し、該関係性を用いて将来の目的実績値を予測し、予測された目的実績値に基づく情報を表示する。【選択図】図５
2011227920.tif 000002
【特許請求の範囲】
【請求項１】
商品の販売に関する複数種類の実績値を時系列的に含んだ実績値群を各商品毎に記憶している第一の記憶域にアクセスすることにより、ターゲットの商品に対応した実績値群から、各時点について、商品販売の目的に対応する実績値である目的実績値と、該目的実績値に影響を与え得る複数の要因にそれぞれ対応した実績値である複数の要因実績値とを特定する第一の特定手段と、
消費者が顧客に至る顧客化ステップを構成する複数の過程をそれぞれ指標化したものである複数の顧客化ステップ指標と、各顧客化ステップ指標に分類された要因種類との対応関係を表す分類管理情報を記憶した第二の記憶域にアクセスすることにより、どの顧客化ステップ指標にどんな要因種類が対応するかを特定する第二の特定手段と、
前記特定された各時点での目的実績値及び複数の要因実績値と、前記特定された各顧客化ステップ指標と要因種類との対応とに基づいて、目的実績値と顧客化ステップ指標値との関係性を構築する関係性構築手段と、
前記構築された関係性を表す関係性情報を第三の記憶域に格納する格納手段と、
前記格納された関係性情報が表す関係性を用いて、将来の目的実績値を予測する予測手段と、
前記予測された将来の目的実績値に基づく情報を表示する表示手段と
を備えたマーケティング支援システム。
【請求項２】
前記構築される関係性は、商品販売の目的実績値である第一の変数を算出するための計算式であり、該計算式は、前記複数の顧客化ステップ指標の各々の値が代入される第二の変数と、各第二の変数のそれぞれの重みを表す各重み係数とを有し、
前記ターゲットの商品に対応した実績値群に、新たな時点の複数種類の実績値が追加された場合、該追加された複数種類の実績値と、該新たな時点よりも過去の各時点の複数種類の実績値とを用いて、前記各第二の変数に関わる各係数を更新する関係性更新手段を更に備える、
請求項１記載のマーケティング支援システム。
【請求項３】
前記構築される関係性は、商品販売の目的実績値である第一の変数を算出するための計算式であり、該計算式は、前記複数の顧客化ステップ指標の各々の値が代入される第二の変数と、各第二の変数のそれぞれの重みを表す各重み係数とを有し、
前記各第二の変数に関わる各係数として、前記各第二の変数と前記第一の変数との関連の度合いを表す各相関係数があり、
目標とする第一の変数の値の入力をユーザから受け付ける目標第一変数値受付手段と、
前記ユーザから入力された第一の変数の値を得るために必要な各第二の変数の値を、該各第二の変数に対応した各相関係数に基づいて計算する必要値計算手段と
を更に備え、
前記表示手段は、前記将来の目的実績値の予測のための計算で前記予測手段によって使用された各第二の変数の値と、前記必要計算手段によって算出された各第二の変数の値とをユーザが比較可能な態様で表示する、
請求項１記載のマーケティング支援システム。
【請求項４】
将来の目的実績値に関わるアラートを表示するための条件であるアラート表示条件をユーザから受け付けるアラート表示条件受付手段を更に備え、
前記関係性構築手段が、前記ターゲットの商品に対応した実績値群を所定の統計解析手法に基づいて解析することにより、短期の目的実績値と長期の目的実績値との第一種の比較の結果を先頭とした、アラート表示条件に至るアラート制御フローを、前記関係性として構築し、
前記予測手段は、前記ターゲットの商品に対応した実績値群における最近の実績値を用いて前記アラート制御フローを辿ることで、前記アラート表示条件に達するか否かを調べ、
前記表示手段は、前記アラート制御フローを辿った結果、前記アラート表示条件に達した場合に、前記予測された将来の目的実績値に基づく情報として前記アラートを表示する、
請求項１記載のマーケティング支援システム。
【請求項５】
前記構築されるアラート制御フローには、前記第一の比較の結果の他に、一以上の第二種の比較の結果に基づく分岐があり、各第二種の比較の結果とは、短期の顧客化ステップ指標の値と長期の顧客化ステップ指標の値との比較の結果である、
請求項４記載のマーケティング支援システム。
【請求項６】
前記ターゲットの商品に対応した実績値群に、新たな時点の複数種類の実績値が追加された場合、該実績値群を前記所定の統計解析手法に従って解析し直すことにより、前記第一種の比較の結果を先頭とした、前記アラート表示条件に至るアラート制御フローの構成を更新する関係性更新手段を更に備える、
請求項４記載のマーケティング支援システム。
【請求項７】
前記ターゲットの商品についての複数の顧客化ステップ指標値を結ぶことで形成されるターゲットのグラフと類似の他の商品のグラフを検索するグラフ検索手段を更に備え、
前記グラフ検索手段は、前記ターゲットのグラフにおける各隣り合う顧客化ステップ指標値間の比が同じ傾向にあって該ターゲットのグラフとの交差が生じないグラフを検索する、
請求項１記載のマーケティング支援システム。
【発明の詳細な説明】
【技術分野】
【０００１】
本発明は、マーケティングを支援するためのコンピュータ技術に関し、例えば、マーケティングダッシュボードの改良に関する。
【背景技術】
【０００２】
マーケティングを支援するためのコンピュータ技術の一つに、マーケティングダッシュボードがある。マーケティングダッシュボードとは、マーケティング担当者に対してさまざまなマーケティング指標を整理して提示するツールであり、本出願人によって改良が進められている技術の一つである。
【先行技術文献】
【非特許文献】
【０００３】
【非特許文献１】http://www.nri.co.jp/publicity/mediaforum/2006/forum39.html
【発明の概要】
【発明が解決しようとする課題】
【０００４】
いわゆるB to C（Business to Customer）で商品を販売する会社では、消費者に対する自社商品のマーケティング戦略が重要である。マーケティングダッシュボードを利用すれば、様々なマーケティング指標にそれぞれ対応した値が表示されることになるので、マーケティング担当者は、表示された各指標の各値を基に、マーケティング戦略を立案することができる。
【０００５】
しかし、そのマーケティング戦略の良し悪しは、マーケティングダッシュボードの表示内容を見たマーケティング担当者が誰であるか（例えば、マーケティング担当者の能力や経験）に依存する部分が少なくない。このため、会社にしてみれば、誰をマーケティング担当者とするかによって、自社商品の売行きが大きく左右されてしまうことになり兼ねない。
【０００６】
従って、本発明の目的は、良いマーケティング戦略を立案し易くするマーケティング支援技術を提供することにある。
【課題を解決するための手段】
【０００７】
本発明に従うマーケティング支援システムは、第一の特定手段と、第二の特定手段と、関係性構築手段と、格納手段と、予測手段と、表示手段とを備える。第一の特定手段は、商品の販売に関する複数種類の実績値を時系列的に含んだ実績値群を各商品毎に記憶している第一の記憶域にアクセスすることにより、ターゲットの商品に対応した実績値群から、各時点について、商品販売の目的に対応する実績値である目的実績値と、該目的実績値に影響を与え得る複数の要因にそれぞれ対応した実績値である複数の要因実績値とを特定する。第二の特定手段は、消費者が顧客に至る顧客化ステップを構成する複数の過程をそれぞれ指標化したものである複数の顧客化ステップ指標と、各顧客化ステップ指標に分類された要因種類との対応関係を表す分類管理情報を記憶した第二の記憶域にアクセスすることにより、どの顧客化ステップ指標にどんな要因種類が対応するかを特定する。関係性構築手段は、前記特定された各時点での目的実績値及び複数の要因実績値と、前記特定された各顧客化ステップ指標と要因種類との対応とに基づいて、目的実績値と顧客化ステップ指標値との関係性を構築する。格納手段は、前記構築された関係性を表す関係性情報を第三の記憶域に格納する。予測手段は、前記格納された関係性情報が表す関係性を用いて、将来の目的実績値を予測する。表示手段は、前記予測された将来の目的実績値に基づく情報を表示する。前述した顧客化ステップ指標値は、その顧客化ステップ指標に分類された各要因種類に対応した各要因実績値を基に算出することが可能である。顧客化ステップ指標値の算出は、前もって行われていても良いし、関係性の構築時など必要時に行われても良い。
【０００８】
顧客化ステップを構成する複数の過程をそれぞれ指標化した各顧客化ステップ指標を用意し、各顧客化ステップ指標に要因種類を分類することにより分類管理情報が構築される。つまり、様々な要因種類が顧客化ステップの視点で整理されている。このマーケティング支援システムでは、その分類関係情報と、実績値群とに基づいて、目的実績値と顧客化ステップ指標値との関係性が構築され、該関係性を用いて将来の目的実績値が予測され、予測された目的実績値に基づく情報が表示される。将来の目的実績値を、ユーザが予測するのではなく、構築された上記関係性を基にコンピュータが予測するので、ユーザは、マーケティング戦略を立案し易くなる。
【０００９】
第一の実施態様では、前記構築される関係性は、商品販売の目的実績値である第一の変数を算出するための計算式であり、該計算式は、前記複数の顧客化ステップ指標の各々の値が代入される第二の変数と、各第二の変数のそれぞれの重みを表す各重み係数とを有する。この第一の実施態様では、関係性更新手段が更に備えられる。関係性更新手段は、前記ターゲットの商品に対応した実績値群に、新たな時点の複数種類の実績値が追加された場合、該追加された複数種類の実績値と、該新たな時点よりも過去の各時点の複数種類の実績値とを用いて、前記各第二の変数に関わる各係数を更新する。これにより、実績値群が更新された場合には、その更新に合わせて、将来の目的実績値の予測で使用される関係性をより適切なものに更新することができる。
【００１０】
第二の実施態様では、前記構築される関係性は、商品販売の目的実績値である第一の変数を算出するための計算式であり、該計算式は、前記複数の顧客化ステップ指標の各々の値が代入される第二の変数と、各第二の変数のそれぞれの重みを表す各重み係数とを有する。前記各第二の変数に関わる各係数として、前記各第二の変数と前記第一の変数との関連の度合いを表す各相関係数がある。目標とする第一の変数の値の入力をユーザから受け付ける目標第一変数値受付手段と、前記ユーザから入力された第一の変数の値を得るために必要な各第二の変数の値を、該各第二の変数に対応した各相関係数に基づいて計算する必要値計算手段とが更に備えられる。前記表示手段は、前記将来の目的実績値の予測のための計算で前記予測手段によって使用された各第二の変数の値と、前記必要計算手段によって算出された各第二の変数の値とをユーザが比較可能な態様で表示する。これにより、ユーザは、目標とする目的実績値を得るためにはどの顧客化ステップ指標をどれだけ変えなければいけないかを一目で把握することができる。なお、前記予測手段によって使用された各第二の変数の値は、実績値群を基にコンピュータによって算出された値であっても良いし、ユーザから入力された値であっても良い。
【００１１】
第三の実施態様では、将来の目的実績値に関わるアラートを表示するための条件であるアラート表示条件をユーザから受け付けるアラート表示条件受付手段が更に備えられる。前記関係性構築手段が、前記ターゲットの商品に対応した実績値群を所定の統計解析手法に基づいて解析することにより、短期の目的実績値と長期の目的実績値との第一種の比較の結果を先頭とした、アラート表示条件に至るアラート制御フローを、前記関係性として構築する。前記予測手段は、前記ターゲットの商品に対応した実績値群における最近の実績値を用いて前記アラート制御フローを辿ることで、前記アラート表示条件に達するか否かを調べる。前記表示手段は、前記アラート制御フローを辿った結果、前記アラート表示条件に達した場合に、前記予測された将来の目的実績値に基づく情報として前記アラートを表示する。これにより、各商品別に、これまでの実績値群に適したアラート制御フローが構築される。言い換えれば、全ての商品や全ての企業でアラートが表示されるタイミングが一律ではなく、各企業での各商品の販売実績に適したタイミングでのアラート表示が可能となる。
【００１２】
前記短期の目的実績値とは、例えば、当月の目的実績値である。また、前記長期の目的実績値とは、例えば、当月を含む過去３ヶ月の目的実績値の平均である。
【００１３】
第四の実施態様では、前記第三の実施態様において、前記構築されるアラート制御フローには、前記第一の比較の結果の他に、一以上の第二種の比較の結果に基づく分岐があり、各第二種の比較の結果とは、短期の顧客化ステップ指標の値と長期の顧客化ステップ指標の値との比較の結果である。
【００１４】
第五の実施態様では、前記第三の実施態様において、関係性更新手段が更に備えられる。関係性更新手段は、前記ターゲットの商品に対応した実績値群に、新たな時点の複数種類の実績値が追加された場合、該実績値群を前記所定の統計解析手法に従って解析し直すことにより、前記第一種の比較の結果を先頭とした、前記アラート表示条件に至るアラート制御フローの構成を更新する関係性更新手段を更に備える。ここで、「アラート制御フローの構成を更新する」とは、アラート制御フローそれ自体の構成が変わることと、アラート制御フローそれ自体の構成は変わらないが分岐の条件が変わることとの両方を含んで良い。この第五の実施態様によれば、実績値群の更新に応じて、一旦構築されたアラート制御フローを適切なフローに更新することができ、以って、アラートの表示タイミングを適切にすることができる。
【００１５】
第六の実施態様では、前記ターゲットの商品についての複数の顧客化ステップ指標値を結ぶことで形成されるターゲットのグラフと類似の他の商品のグラフを検索するグラフ検索手段が更に備えられる。前記グラフ検索手段は、前記ターゲットのグラフにおける各隣り合う顧客化ステップ指標値間の比が同じ傾向にあって該ターゲットのグラフとの交差が生じないグラフを検索する。
【００１６】
マーケティング支援システムが備える各手段は、ハードウェア（例えば回路）、コンピュータプログラム、或いはそれらの組み合わせ（例えば、一部をコンピュータプログラムで実行し残りをハードウェアで実行する）によって実現することもできる。各コンピュータプログラムは、コンピュータマシンに備えられる記憶資源（例えばメモリ）から読み込むことができる。その記憶資源には、ＣＤ−ＲＯＭやＤＶＤ（Digital Versatile Disk）等の記録媒体を介してインストールすることもできるし、インターネットやＬＡＮ等の通信ネットワークを介してダウンロードすることもできる。
【図面の簡単な説明】
【００１７】
【図１】図１は、本発明の一実施形態に係るコンピュータシステムの構成例を示す。
【図２】図２は、ＤＷＨ１０９の構成例を示す。
【図３】図３は、マーケティングダッシュボード１０５の機能ブロック図を示す。
【図４】図４は、係数更新モジュール１２３が行う処理の流れの一例を示す。
【図５】図５は、アラート制御モジュールが行う処理の流れの一例を示す。
【図６】図６は、アラート制御モジュール１２５の作用効果の説明図である。
【図７】図７は、グラフ検索モジュール１２７が行う処理の流れの一例を示す。
【図８】図８Ａは、予測ＧＵＩの一例である。図８Ｂは、必要指標値も表示された予測ＧＵＩの一例である。
【発明を実施するための形態】
【００１８】
図１は、本発明の一実施形態に係るコンピュータシステムの構成例を示す。
【００１９】
ＣＰＵ１０３、記憶資源１０７、ＤＷＨ１０９、入力装置１０２及び表示装置１０１が備えられる。ＣＰＵ１０３、記憶資源１０７、ＤＷＨ１０９、入力装置１０２及び表示装置１０１は、一つの計算機に存在しても良いし、複数の計算機に分散して存在しても良い。後者の場合、例えば、本実施形態に係るコンピュータシステムは、クライアントサーバシステムであり、表示装置１０１及び入力装置１０２が、クライアントマシンに存在し、ＣＰＵ１０３及び記憶資源１０７が、サーバマシンに存在し、ＤＷＨ１０９が、サーバマシンの補助記憶装置に存在しても良い。
【００２０】
記憶資源（例えばメモリ等の主記憶装置）１０７に、コンピュータプログラムであるマーケティングダッシュボード１０５が記憶されている。ＣＰＵ１０３が、マーケティングダッシュボード１０５を記憶資源１０７から読み込んで実行する。以下、コンピュータプログラムが主語になる場合は、実際にはそのコンピュータプログラムを実行するＣＰＵによって処理が行われるものとする。
【００２１】
ＤＷＨ（Data Ware House）１０９が、記憶資源１０７又はそれとは別の記憶資源（例えばハードディスク或いは大規模なストレージシステム等の補助記憶装置）に構築されている。マーケティングダッシュボード１０５は、入力装置１０２を介してユーザから入力された指示に従う処理を、ＤＷＨ１０９に含まれるデータを用いて実行し、実行した処理の結果に基づく情報を、表示装置１０１に表示させる（図１に例示するグラフは、表示される情報の一例である）。
【００２２】
図２は、ＤＷＨ１０９の構成例を示す。
【００２３】
ＤＷＨ１０９では、商品販売における最終的な目標（以下、「売上」又は「シェア」とする）に影響を及ぼす要因が、消費者が顧客に至るまでのステップ（以下、「顧客化ステップ」と称する）の視点で整理されている。なお、本実施形態において、「顧客」と言う場合には、その商品を繰返し購入してくれる消費者、つまりいわゆるお得意様を意味し、顧客と言わずに単に「消費者」と言う場合には、顧客以外の消費者を意味するものとする。
【００２４】
顧客化ステップは、複数の過程から成るが、本実施形態では、顧客化ステップを構成する複数の過程がそれぞれ指標とされる。顧客化ステップを構成する複数の過程として、図２Ａに例示するように、「認知」、「購入意向」、「接触」、「購入」、「継続購入意向」及び「繰り返し」がある。しかし、顧客化ステップの構成は、これに限らず、例えば、過程の数、過程の順番、各過程の内容が、上記とは異なっていても良い。また、顧客化ステップの構成は、予め用意された固定の構成であってもよいし、ユーザが設定変更できるようになっていてもよい。
【００２５】
ＤＷＨ１０９は、一又は複数のデータテーブルを有する。具体的には、例えば、図２Ａに例示する分類管理テーブル１１３と、図２Ｂに例示する実績テーブル１１１とがある。
【００２６】
分類管理テーブル１１３は、複数の顧客化ステップ指標のどれに、どんな種類の要因が分類されているかを示すテーブルである。分類管理テーブル１１３では、顧客化ステップ指標毎に、一又は複数の要因種類が関連付けられている。言い換えれば、大カテゴリとしての顧客化ステップ指標に、小カテゴリとしての要因種類が分類されている。
【００２７】
ここで、「顧客化ステップ指標」とは、顧客化ステップを構成する過程が指標化されたものを意味する。具体的には、本実施形態では、前述したように、顧客化ステップは、「認知」、「購入意向」、「接触」、「購入」、「継続購入意向」及び「繰り返し」の６つの過程で構成されているが、顧客化ステップ指標は、それら６つの過程にそれぞれ対応した６つの指標の各々を指す。
【００２８】
「要因」とは、売上又はシェアに影響を与える要因である。要因には、様々な種類、例えば、ＧＲＰ（Gross Rating Point）、WEB広告（例えば、WEB上での広告の影響率）などがある。
【００２９】
図２Ａに示す分類管理テーブル１１３の構成は、一例であり、実際は、マーケティングダッシュボード１０５を利用する企業によって異なると考えられる。企業が保持する実績値の種類や、顧客化ステップの構成や、どの顧客化ステップ指標にどんな要因種類を分類したいかは、企業によって様々であるためである。各顧客化ステップ指標への要因種類の分類は、マーケティングダッシュボード１０５の機能を利用して行われて良い。例えば、マーケティングダッシュボード１０５が、分類先としての顧客化ステップ指標と、分類対象としての要因種類とを、ＧＵＩ（Graphical User Interface）を介してユーザから受付け、入力された顧客化ステップ指標と要因種類とを分類管理テーブル１１３上で関連付けて良い。
【００３０】
図２Ｂに示すように、実績テーブル１１１には、時系列で（例えば各年月別に）、各種実績値が登録されている。実績値とは、実績としての値である。実績値には、最終目標としての実績値と、前述した要因としての実績値とがある。本実施形態では、売上値とシェア値が、最終目標としての実績値であり、それ以外の値が、要因としての実績値である。
【００３１】
なお、実績テーブル１１１は、商品が複数個ある場合には、各商品毎に用意されて良い。その場合には、例えば、商品の識別子（以下、商品ＩＤ）と、実績テーブル１１１とが関連付けられており、商品ＩＤが入力されることにより、参照すべき実績テーブル１１１を特定することができるようになっている。以下、説明をわかり易くするために、商品は１つであるとし、必要に応じて、商品が複数あるものとする。
【００３２】
さて、マーケティングダッシュボード１０５は、このＤＷＨ１０９内のデータを基にした表示を行うことができる。
【００３３】
図３は、マーケティングダッシュボード１０５の機能ブロック図を示す。
【００３４】
マーケティングダッシュボード１０５は、複数の機能をそれぞれ発揮するための複数のプログラムモジュールを有する。それら複数のプログラムモジュールとして、例えば、目標指標値予測モジュール１２１、係数更新モジュール１２３、アラート制御モジュール１２５及びグラフ検索モジュール１２７がある。
【００３５】
目標指標値予測モジュール１２１は、売上又はシェアといった最終目標の指標に対応する値を、各顧客化ステップ指標に対応する各要因を基に、計算することができる。この計算は、例えば以下の重回帰式、
Ｙ＝Ａ・Ｘ１＋Ｂ・Ｘ２＋Ｃ・Ｘ２＋…＋Ｆ・Ｘ６…（１）
ｙ＝ａ・Ｘ１＋ｂ・Ｘ２＋ｃ・Ｘ３＋…＋ｆ・Ｘ６…（２）
で行われる。ここで、Ｙ及びｙは、目的変数である。具体的には、Ｙは、売上の値であり、ｙは、シェアの値である。Ｘ１，Ｘ２，Ｘ３，…，Ｘ６は、説明変数であり、具体的には、上述した６つの顧客化ステップ指標にそれぞれ対応した値（以下、顧客化ステップ指標値）である。Ａ，Ｂ，Ｃ，…，Ｆや、ａ，ｂ，ｃ，…，ｆは、それぞれ、回帰係数である。
【００３６】
なお、各顧客化ステップ指標値も、重回帰式で算出することができる（以下、最終目標の指標値を算出するための重回帰式と区別するために、顧客化ステップ指標値を算出するための重回帰式を、「サブ重回帰式」と言う）。具体的には、例えば、顧客化ステップ指標「認知」を目的変数とした場合、その目的変数は、α１・ＧＲＰデータ＋α２・ＷＥＢ広告データで算出することができる（α１及びα２は、回帰係数である）。
【００３７】
すなわち、目標指標値予測モジュール１２１は、最終目標指標値を算出するために、まず、実績テーブル１１１に記録されている、各要因に対応した各実績値を用いて、各顧客化ステップ指標値を、その顧客化ステップ指標値に対応したサブ重回帰式で算出する。算出された各顧客化ステップ指標値は、ＤＷＨ１０９に含めておいて良い。その後、目標指標値予測モジュール１２１は、算出された６つの顧客化ステップ指標値を用いて、上記（１）の重回帰式で、売上を算出することができるし、上記（２）の重回帰式で、シェアを算出することができる。なお、上記（１）の重回帰式や（２）の重回帰式で各説明変数に代入される顧客化ステップ指標値は、ユーザが入力した仮想的な値であっても良い。これにより、ユーザ所望の仮想的な値を用いて、売上或いはシェアのシミュレーションを行うことができる。また、本実施形態では、各顧客化ステップ指標値は、１００を最大値とし０を最小値とした比率で表される。そのため、以下、顧客化ステップ指標を言う場合には、「○○率」と言うことがある。例えば、顧客化ステップ指標としての認知を言う場合には、「認知率」と言い、購入意向を言う場合には、「購入意向率」と言うことがある。
【００３８】
目標指標値予測モジュール１２１は、実績テーブル１１１に現存する全ての或いはユーザに指定された年月範囲の実績値と、分類テーブル１１３とに基づいて、上記（１）及び（２）の重回帰式や、各顧客化ステップ指標値を算出するための各サブ重回帰式を作成する。目標指標値予測モジュール１２１は、ユーザ所望の将来の日時（例えば年月）をユーザから受付け、ユーザから指定された将来の年月での各種最終目標指標値を、その作成した各重回帰式や各サブ重回帰式を用いて計算することができる。なお、その計算では、各説明変数Ｘ１，Ｘ２，…Ｘ６に、各顧客化ステップ指標値が代入され、各顧客化ステップ指標値は、種々の要因に対応した実績値から算出されるが、代入される実績値は、或る一つの年月に対応した実績値であっても良いし、複数の年月に対応した実績値の平均であってもよい。また、目標指標値予測モジュール１２１によって作成された各重回帰式における各回帰係数や、各サブ回帰式における各回帰係数は、後述するように、新たな年月に属する各実績値が追加された場合に、係数更新モジュール１２３によって、より適切な値に更新される。作成された各重回帰式や各サブ重回帰式は、例えば、記憶資源１０７に記憶される。
【００３９】
目標指標値予測モジュール１２１は、算出された最終目標指標値と、その算出で使用された各顧客化ステップ指標値との関連性を表示することができる。具体的には、例えば、図８Ａに例示するような予測ＧＵＩを表示することができる。予測ＧＵＩには、例えば、グラフと、ユーザ所望の日時と、その日時での最終目標指標値とが表示される。グラフは、横軸を顧客化ステップとし、縦軸を顧客化ステップ指標値としたものである。横軸では、顧客化ステップ指標が時系列で並んでいる。具体的には、左から右にかけて、認知率、購入意向率、探索率、購入意向率、継続購入意向率及び繰り返し率の順で並んでいる。
【００４０】
ユーザは、この予測ＧＵＩを見ることで、現在の実績値からすると将来のどの時点でどのような最終目標指標値となるかを把握することができる。
【００４１】
また、目標指標値予測モジュール１２１は、この予測ＧＵＩを介して、ユーザが目標とする最終目標指標値の入力を受付けることができる。そのような最終目標指標値の入力を受けた場合、目標指標値予測モジュール１２１は、後述する各顧客化ステップ指標に対応する各相関係数を基に、そのような最終目標指標値を得るために必要な各顧客化ステップ指標値（以下、必要指標値）を算出し、例えば図８Ｂに例示するように、算出された各必要指標値を表示することができる。これにより、ユーザは、所望の最終目標指標値を達成するためには、どんな顧客化ステップ指標をどれだけ変えていかなければいけないのかを判断することができる。予測ＧＵＩには、更に、上記（１）及び（２）のうちの少なくとも一つの重回帰式の各回帰係数及び／又は各相関係数が表示されてもよい。本実施形態で言う「相関係数」とは、目的変数との関連性の度合いを表す係数であり、重回帰式における説明変数の重みを意味する回帰係数とは種類が異なる。
【００４２】
なお、図８Ａや図８Ｂには、最終目標指標値と各顧客化ステップ指標値との関連性を示したが、目標指標値予測モジュール１２１は、予測ＧＵＩとは別のＧＵＩで、各顧客化ステップ指標毎に、顧客化ステップ指標値と、一以上の要因種類との関連性を表示してよい。別のＧＵＩは、予測ＧＵＩのポップアップで、或いは予測ＧＵＩを縮小することにより生じたスペースに、表示して良い。その別のＧＵＩでは、必要指標値に対応した更新後要因値を表示して良い。更新後要因値とは、必要指標値を得るために必要であるとして算出された予測値である。更新後要因値は、顧客化ステップ指標値に関わる各種要因の各相関係数を基に算出することができる。ユーザは、その別のＧＵＩを閲覧することにより、各必要指標値を得るためにはどの種類の要因をどれだけ変えていかなければいけないのかを判断することができる。
【００４３】
以上、目標指標値予測モジュール１２１の機能によれば、ユーザは、売上及びシェアに関する説明をし易くなる。また、マーケティング戦略の際に、どこに問題があるかや、何を変えなきゃいけないかを判断し易くなる。
【００４４】
目標指標値予測モジュール１２１によって算出される各値の正確性を向上するためのモジュールとして、係数更新モジュール１２３がある。
【００４５】
図４は、係数更新モジュール１２３が行う処理の流れの一例を示す。なお、以下の処理の流れは、重回帰式の回帰係数や相関係数を更新するための流れであるが、サブ重回帰式での回帰係数や相関係数の更新も、その処理の流れとほぼ同様とすることができる。
【００４６】
係数更新モジュール１２３は、新規に月次データ群（新たな年月の実績値群）が実績テーブル１１１に追加されたことを検出した場合に、処理を開始する。その検出は、例えば、ユーザからの入力や、各実績テーブル１１１を定期的に参照することにより、行うことができる。
【００４７】
係数更新モジュール１２３は、新規の月次データ群を用いて、目標指標値と顧客化ステップ指標値の重回帰分析を実施することにより、各重回帰式における各回帰係数を更新する（ステップＳ１０１）。
【００４８】
次に、係数更新モジュール１２３は、影響度の低い顧客化ステップ指標値（例えば、更新後の回帰係数が所定値未満の顧客化ステップ指標値）を除いて、重回帰分析をやり直す（Ｓ１０２）。
【００４９】
係数更新モジュール１２３は、最適な相関係数になるまで、Ｓ１０１及びＳ１０２の計算を繰り返す。
【００５０】
すなわち、係数更新モジュール１２３は、各顧客化ステップ指標毎に、回帰係数とは別種の係数の一つである相関係数を算出することができる。ここで言う相関係数とは、顧客化ステップ指標と最終目標指標との関連の深さを表す係数である。各顧客化ステップ指標に対応する各相関係数は、ＤＷＨ１０９に含めることができる。この各相関係数を用いて、ユーザが目標とする目標指標値を得るための顧客化ステップ指標値（図８Ｂに例示した前述の必要指標値）が目標指標値予測モジュール１２１によって計算される。例えば、認知率の相関係数が購入意向率の相関係数の３倍である場合には、認知率に対応した必要指標値とその必要指標値が算出される前の認知率の値との違い（例えば、比率或いは差分）は、購入意向率に対応した必要指標値とその必要指標値が算出される前の購入意向率の値との違いの３倍となる。具体的には、例えば、購入意向率を５％向上させないといけない場合、認知率はその３倍の１５％向上させないといけないという計算結果となる。
【００５１】
以上のように、新規な月次データ群が登録される度に、重回帰式の回帰係数や相関係数がより適切な値に更新されるので、目標指標値予測モジュール１２１によって算出される各値の正確性を向上することができる。
【００５２】
なお、前述した「最適な相関係数になるまで」とは、「新しく追加された月次データ群を利用して様々な変数や様々な期間を設定して重回帰分析を行い、重回帰式における回帰係数が最も大きくなる組み合わせが得られるまで」という意味であり、その最も大きくなる組み合わせが、「最適な相関」の状態である。ただし、目的変数と、説明変数の間には、明らかな正・負の相関がある場合（例えば購入意向率とシェアは正の相関など）があり、これらの正・負の関係が正しい関係の場合のみにおいて「最適な相関」が成り立つ。
【００５３】
以上が、目標指標値予測モジュール１２１と係数更新モジュール１２３の機能についての説明である。なお、上記の例では、重回帰式が利用されたが、他種の計算式が利用されても良い。重要なことは、複数の実績値を顧客化ステップの視点で整理し、複数の顧客化ステップ指標値と一つの最終目標指標値とを体系付けることで、将来の最終目標指標値を予測できるモデルを構築することにある。
【００５４】
さて、次に、アラート制御モジュール１２５の機能について説明する。
【００５５】
アラート制御モジュール１２５は、アラートを出力するための目標変数の入力を受付け、実績テーブル１１１を分析し、その目標変数に対応したアラート制御フローを作成する。新規の月次データ群（最新の年月の実績値群）が実績テーブル１１１に登録された場合、アラート制御モジュール１２５は、その追加された月次データ群と、過去の実績値群とに基づいて、アラート制御フローを更新する。アラート制御モジュール１２５は、アラート制御フローに合致する場合に、アラートを表示する。
【００５６】
図５は、アラート制御モジュールが行う処理の流れの一例を示す。
【００５７】
アラート制御モジュール１２５は、目標変数の入力をユーザから受付ける（Ｓ２０１）。ここで、「目標変数」とは、前述した重回帰式の目的変数とは異なる変数であり、アラートを出力する／出力しないの条件値である。図５では、アラートを出力する条件値として、「２ヶ月以上連続してシェアダウンする可能性が７０％」と、「２ヶ月以上連続してシェアダウンする可能性が６０％」との２種類がある。また、アラートを出力しない条件値として、「２ヶ月以上連続してシェアダウンする可能性が２０％」の１種類がある。なお、この例では、各条件値において、７０％、６０％及び２０％というように、具体的に数値が指定されているが、それに代えて、大、中、小といった指定でも良い。その際、大、中、小の境目の基準（例えば、前述した７０％、６０％及び２０％といった値）は、予めユーザから設定されて良い。また、条件値は、上記のように３種類に限らず、２種類或いは４種類以上であってもよい。
【００５８】
アラート制御モジュール１２５は、分類関係テーブル１１３を基に、デシジョンツリーという統計解析手法に従って実績テーブル１１１を解析することで、目標変数に至るアラート制御フロー（デシジョンツリー）を計算する（Ｓ２０２）。
【００５９】
この計算では、アラート制御フローの先頭が、「当月シェアが３ヶ月平均シェアを下回る」となる。ここで、「当月シェア」とは、最新の年月のシェア値である。「３ヶ月平均シェア」とは、当月を含む３か月分（当月が２００５年１２月であれば、３か月分は、２００５年１０月〜１２月）のシェア値の平均である。それを先頭に、各条件値に至るまでのアラート制御フローを計算することができる。なお、ここでは、当月シェアと３ヶ月平均シェアの比較になるが、それに限定する必要はなく、短期シェアと長期シェアとの比較であればよい。また、シェアに代えて、他の最終目標指標であっても良い。
【００６０】
また、その計算では、各顧客化ステップ指標を、フローにおける分岐の一つの基準とする。具体的には、例えば、その分岐は、短期（例えば当月）の顧客化ステップ指標値と長期（例えば３ヶ月平均）の顧客化ステップ指標値との比較とそれらの違いの大きさによる。
【００６１】
アラート制御モジュール１２５は、アラート制御フローが計算された場合、当月の実績値群がそのアラート制御フローをどのように辿っていくのかを調べる。その結果、当月シェアが３ヶ月平均シェアを下回っていない場合、或いは、下回っていても、アラートを出力しない条件値に至った場合には、アラートを表示しないが、アラートを出力する条件値に至った場合には、アラートを表示する。
【００６２】
このアラート制御モジュール１２５の作用効果を、図６を参照して説明する。図６によれば、例えば２箇所に太い矢印で示すように、当月シェアが３ヶ月平均シェアを下回った月から、シェアが２ヶ月以上連続してダウンしている。前述したアラート制御モジュール１２５によれば、当月シェアが３ヶ月平均シェアを下回った月の時点でアラートが表示される。このため、シェアがダウンする可能性を早い段階で検知して、シェアダウンへの対策を講じることができるようになる。
【００６３】
また、当月シェアが３ヶ月平均シェアを下回ったからといって必ずアラートが表示されてしまうと、本来必要がないのに余計な対策をとってしまうことになる。本実施形態では、当月シェアが３ヶ月平均シェアを下回ったことに加えて、各顧客化ステップ指標値の当月と３ヶ月平均の比較の結果を基にした分岐を有する適切なアラート制御フローが作成される。これにより、より精度の高いアラート制御を行うことができる。
【００６４】
なお、アラート制御モジュール１２５は、新たに月次データ群が登録された場合、その新たに登録された月次データ群を用いて、デシジョンツリーの計算をし直すことにより、作成済みのアラート制御フローを更新することができる。これにより、例えば、「購入率が３ヶ月平均と比べ５．５％以上の拡大」と「購入率が３ヶ月平均と比べ５．５％以内の拡大」という分岐において、「購入率」という顧客化ステップ指標が別の顧客化ステップ指標に変わったり、「５．５％」という数値が別の数値に変わったり、「拡大」が「縮小」に変わったりする可能性がある。また、アラート制御フローの構成それ自体が変わる可能性もある。すなわち、より適切なアラート制御フローが用意されることになる。
【００６５】
また、アラート制御モジュール１２５は、例えば、プルダウンメニューやラジオボックス形式等の選択方式で、目標変数の入力の受け付けることができる。例えば、どんな種類の最終目標指標（売上／シェア）がどの期間ダウン（例えば１〜５ヶ月の範囲で選択）する可能性がどの程度（例えば０〜１００％の範囲で選択）あるかの入力を受付けることができる。
【００６６】
また、アラート制御モジュール１２５は、デシジョンツリーの計算に代えて、他種の統計解析手法による計算で、アラート制御フローを作成しても良い。また、作成されたアラート制御フローを、記憶資源１０７等の記憶域に記憶させ、その記憶されたアラート制御フローを辿ることで、アラートを表示するか否かが制御されても良い。また、アラート制御モジュール１２５は、ユーザからアラート制御フローの表示要求を受けた場合、記憶させたアラート制御フローを読み出して表示しても良い。その際、アラート制御フローを編集可能に表示し、ユーザからアラート制御フローの編集を受け付けても良い。
【００６７】
さて、アラートが表示された場合、企業では、何らかの対策を考えることになるであろう。その場合、一つの対策として、過去に類似したケースがあるかどうかを探し、ある場合に、その類似したケースでは、どのようなマーケティング戦略が行われたかを調べるといった対策が考えられる。グラフ検索モジュール１２７は、そのような対策をサポートするためのモジュールである。
【００６８】
図７は、グラフ検索モジュール１２７が行う処理の流れの一例を示す。
【００６９】
グラフ検索モジュール１２７は、ユーザから指定された商品（以下、指定商品）の複数の顧客化ステップ指標値を表すグラフと類似した、他の商品についてのグラフを、検索する。
【００７０】
具体的には、グラフ検索モジュール１２７は、ＤＷＨ１０９にアクセスし、各商品（指定商品と各他の商品）について、顧客化ステップ別にデータを分解する（Ｓ３０１）。具体的には、例えば、各商品について、各顧客化ステップ指標値を得る。これにより、各商品について、顧客化ステップに従う並びで顧客化ステップ指標値を結んだグラフを描画することができる状態となる。
【００７１】
次に、グラフ検索モジュール１２７は、顧客化ステップにおいて隣り合う顧客化ステップ指標間の各比が指定商品のグラフにおける各比と同じ傾向にある一以上のグラフに絞り込む（Ｓ３０２）。ここで絞り込まれたグラフを、「第一のグラフ群」と言うことにする。なお、「比が同じ傾向にある」とは、比が同一であっても良いし、比が所定の誤差範囲にあることであっても良い。具体的には、例えば、指定商品の認知率と購入意向率が、それぞれ、８０％と４０％であり、或る他の商品の認知率と購入意向率が、それぞれ、６０％と３０％である場合、比はどちらも２：１となるので、比が同一ということになる。
【００７２】
次に、グラフ検索モジュール１２７は、第一のグラフ群の中から、指定商品のグラフと比較した場合にグラフの交差がおこることのないグラフを特定する（Ｓ３０３）。以下、ここで特定された一以上グラフを、「第二のグラフ群」と言うことにする。
【００７３】
最後に、グラフ検索モジュール１２７は、第二のグラフ群の中から、最小二乗法により、指定商品のグラフにおける各指標値の偏差が最小になるグラフを選ぶ（Ｓ３０４）。この結果、指定商品のグラフと最も類似するグラフが検索されることになる。
【００７４】
なお、図７に記載の処理流れ図の下に記載のグラフは、Ｓ３０１〜Ｓ３０２では対象とされたものの、Ｓ３０３で対象外とされたことを示すものである。すなわち、指定商品「ブランドＢ」のグラフと類似するグラフの検索の際に、他の商品「ブランドＡ」のグラフは、各顧客化ステップ指標間の比が同じ傾向にあるものの、グラフの交差が生じているので、対象外とされていることを示す。
【００７５】
マーケティングダッシュボード１０５は、類似するグラフが検索された後、ユーザから所定の指示を受けた場合、その検索されたグラフの他の商品についての過去のマーケティング戦略の履歴を表示する機能を有して良い。履歴としては、例えば、各顧客化ステップ指標値の時系列的な遷移であっても良いし、実際にどのようなマーケティング戦略をとることでどのように各顧客化ステップ指標値が遷移したかであってもよい。前者の履歴は、該他の商品の実績テーブル１１１に記録されている各実績値を利用して表示することができる。後者の履歴は、例えば、ＤＷＨ１０９に、どのようなマーケティング戦略をとったのかを表す報告書データを含めておき、その報告書データや該他の商品の実績テーブル１１１を利用して表示することができる。
【００７６】
以上、本発明の一実施形態を説明したが、これは本発明の説明のための例示であって、本発明の範囲をこの実施形態にのみ限定する趣旨ではない。本発明は、他の種々の形態でも実施することが可能である。
【符号の説明】
【００７７】
１０１…表示装置  １０２…入力装置  １０３…ＣＰＵ  １０５…マーケティングダッシュボード  １０７…記憶資源  １０９…ＤＷＨ
【図１】
2011227920.tif 000003
【図２】
2011227920.tif 000004
【図３】
2011227920.tif 000005
【図４】
2011227920.tif 000006
【図５】
2011227920.tif 000007
【図６】
2011227920.tif 000008
【図７】
2011227920.tif 000009
【図８】
2011227920.tif 000010
【手続補正書】
【提出日】平成23年7月29日(2011.7.29)
【手続補正１】
【補正対象書類名】特許請求の範囲
【補正対象項目名】全文
【補正方法】変更
【補正の内容】
【特許請求の範囲】
【請求項１】
商品の販売に関する複数種類の実績値を時系列的に含んだ実績値群を商品毎に記憶している第１の記憶域にアクセスすることにより、ターゲットの商品に対応した実績値群から、各時点について、商品販売の目的に対応する実績値である目的実績値と、該目的実績値に影響を与え得る複数の要因にそれぞれ対応した実績値である複数の要因実績値とを特定する第１の特定手段と、
消費者が顧客に至る顧客化ステップを構成する複数の過程をそれぞれ指標化したものである複数の顧客化ステップ指標と各顧客化ステップ指標に分類された要因種類との対応関係を表す分類管理情報を記憶した第２の記憶域にアクセスすることにより、どの顧客化ステップ指標値にどんな要因種類の要因実績値が対応するかを特定する第２の特定手段と、
前記特定された各時点での目的実績値と各時点での複数の要因実績値に基づく各顧客化ステップ指標値との重回帰分析を繰り返し行うことにより、目的実績値と顧客化ステップ指標値との関係性を構築する関係性構築手段と
を備え、
前記関係性は、商品販売の目的実績値を算出するための重回帰式であり、前記複数の顧客化ステップ指標値の各々と、各顧客化ステップ指標値のそれぞれの重みを表す各回帰係数とを有し、且つ、前記重回帰分析を繰り返し行う過程において構築された複数の重回帰式のうち、相関係数が最も大きくなる重回帰式であり、
前記各時点での複数の要因実績値は、前記第１の特定手段によって特定された複数の要因実績値のうち、前記第２の特定手段によって各顧客化ステップ指標値に対応付けられた要因実績値である、
マーケティング支援システム。
【請求項２】
前記ターゲットの商品に対応した実績値群に、新たな時点の複数種類の実績値が追加された場合、該追加された複数種類の実績値と、該新たな時点よりも過去の各時点の複数種類の実績値とを用いて、前記各顧客化ステップ指標値に関わる各回帰係数を、最適な前記相関係数が得られるまで更新する関係性更新手段を更に備える、
請求項１記載のマーケティング支援システム。
【請求項３】
前記重回帰式の目的変数の値として目的実績値の目標値の入力をユーザから受け付ける目標値受付手段と、
前記ユーザから入力された目標値を得るために必要な各顧客化ステップ指標値の組み合わせを、該各顧客化ステップ指標値に対応した各回帰係数に基づいて計算する必要値計算手段と
を更に備える請求項１又は２記載のマーケティング支援システム。
【請求項４】
前記関係性を用いて、将来の目的実績値を予測する予測手段と、
前記予測された将来の目的実績値に基づく情報として、前記将来の目的実績値の予測のための計算で前記予測手段によって使用された各顧客化ステップ指標値と、前記必要計算手段によって算出された各顧客化ステップ指標値とを、ユーザが比較可能な態様で表示する比較表示手段と
を更に備える請求項３記載のマーケティング支援システム。
【請求項５】
前記第１の関係構築手段は、前記特定された各時点での要因実績値と顧客化ステップ指標値との重回帰分析を行い、その分析結果に基づいてさらに目的実績値と顧客化ステップ指標値との重回帰分析を繰り返し行う、
請求項１乃至４のうちのいずれか１項に記載のマーケティング支援システム。
【請求項６】
将来の目的実績値に関わるアラートを表示するための条件であるアラート表示条件をユーザから受け付けるアラート表示条件受付手段と、
前記ターゲットの商品に対応した実績値群を所定の統計解析手法に基づいて解析することにより、短期の目的実績値と長期の目的実績値との第１種の比較の結果を先頭とした、アラート表示条件に至るアラート制御フローを構築するフロー構築手段と、
前記ターゲットの商品に対応した実績値群における最近の実績値を用いて前記アラート制御フローを辿ることで、前記アラート表示条件に達するか否かを調べる条件判断手段と、
前記アラート制御フローを辿った結果、前記アラート表示条件に達した場合に、前記予測された将来の目的実績値に基づく情報として前記アラートを表示するアラート表示手段と
を更に備える請求項１乃至５のうちのいずれか１項に記載のマーケティング支援システム。
【請求項７】
前記構築されるアラート制御フローには、前記第１種の比較の結果の他に、１以上の第２種の比較の結果に基づく分岐があり、各第２種の比較の結果とは、短期の顧客化ステップ指標の値と長期の顧客化ステップ指標の値との比較の結果である、
請求項６記載のマーケティング支援システム。
【請求項８】
前記ターゲットの商品に対応した実績値群に、新たな時点の複数種類の実績値が追加された場合、該実績値群を前記所定の統計解析手法に従って解析し直すことにより、前記第一種の比較の結果を先頭とした、前記アラート表示条件に至るアラート制御フローの構成を更新するフロー更新手段を更に備える、
請求項６又は７記載のマーケティング支援システム。
【請求項９】
前記ターゲットの商品についての複数の顧客化ステップ指標値を結ぶことで形成されるターゲットのグラフと類似の他の商品のグラフを検索するグラフ検索手段を更に備え、
前記グラフ検索手段は、前記ターゲットのグラフにおける各隣り合う顧客化ステップ指標値間の比が同じ傾向にあって該ターゲットのグラフとの交差が生じないグラフを検索する、
請求項１乃至８のうちのいずれか１項に記載のマーケティング支援システム。
【請求項１０】
コンピュータが、商品の販売に関する複数種類の実績値を時系列的に含んだ実績値群を商品毎に記憶している第１の記憶域にアクセスすることにより、ターゲットの商品に対応した実績値群から、各時点について、商品販売の目的に対応する実績値である目的実績値と、該目的実績値に影響を与え得る複数の要因にそれぞれ対応した実績値である複数の要因実績値とを特定する第１の特定ステップと、
コンピュータが、消費者が顧客に至る顧客化ステップを構成する複数の過程をそれぞれ指標化したものである複数の顧客化ステップ指標と各顧客化ステップ指標に分類された要因種類との対応関係を表す分類管理情報を記憶した第２の記憶域にアクセスすることにより、どの顧客化ステップ指標値にどんな要因種類の要因実績値が対応するかを特定する第２の特定ステップと、
コンピュータが、前記特定された各時点での目的実績値と各時点での複数の要因実績値に基づく各顧客化ステップ指標値との重回帰分析を繰り返し行うことにより、目的実績値と顧客化ステップ指標値との関係性を構築する関係性構築ステップと
を有し、
前記関係性は、商品販売の目的実績値を算出するための重回帰式であり、前記複数の顧客化ステップ指標値の各々と、各顧客化ステップ指標値のそれぞれの重みを表す各回帰係数とを有し、且つ、前記重回帰分析を繰り返し行う過程において構築された複数の重回帰式のうち、相関係数が最も大きくなる重回帰式であり、
前記各時点での複数の要因実績値は、前記第１の特定手段によって特定された複数の要因実績値のうち、前記第２の特定手段によって各顧客化ステップ指標値に対応付けられた要因実績値である、
マーケティング支援方法。
【請求項１１】
商品の販売に関する複数種類の実績値を時系列的に含んだ実績値群を商品毎に記憶している第１の記憶域にアクセスすることにより、ターゲットの商品に対応した実績値群から、各時点について、商品販売の目的に対応する実績値である目的実績値と、該目的実績値に影響を与え得る複数の要因にそれぞれ対応した実績値である複数の要因実績値とを特定する第１の特定ステップと、
消費者が顧客に至る顧客化ステップを構成する複数の過程をそれぞれ指標化したものである複数の顧客化ステップ指標と各顧客化ステップ指標に分類された要因種類との対応関係を表す分類管理情報を記憶した第２の記憶域にアクセスすることにより、どの顧客化ステップ指標値にどんな要因種類の要因実績値が対応するかを特定する第２の特定ステップと、
前記特定された各時点での目的実績値と各時点での複数の要因実績値に基づく各顧客化ステップ指標値との重回帰分析を繰り返し行うことにより、目的実績値と顧客化ステップ指標値との関係性を構築する関係性構築ステップと
をコンピュータに実行させ、
前記関係性は、商品販売の目的実績値を算出するための重回帰式であり、前記複数の顧客化ステップ指標値の各々と、各顧客化ステップ指標値のそれぞれの重みを表す各回帰係数とを有し、且つ、前記重回帰分析を繰り返し行う過程において構築された複数の重回帰式のうち、相関係数が最も大きくなる重回帰式であり、
前記各時点での複数の要因実績値は、前記第１の特定手段によって特定された複数の要因実績値のうち、前記第２の特定手段によって各顧客化ステップ指標値に対応付けられた要因実績値である、
コンピュータプログラム。
【手続補正２】
【補正対象書類名】明細書
【補正対象項目名】００４２
【補正方法】変更
【補正の内容】
【００４２】
また、目標指標値予測モジュール１２１は、この予測ＧＵＩを介して、ユーザが目標とする最終目標指標値の入力を受付けることができる。そのような最終目標指標値の入力を受けた場合、目標指標値予測モジュール１２１は、後述する各顧客化ステップ指標に対応する各回帰係数を基に、そのような最終目標指標値を得るために必要な各顧客化ステップ指標値（以下、必要指標値）を算出し、例えば図８Ｂに例示するように、算出された各必要指標値を表示することができる。これにより、ユーザは、所望の最終目標指標値を達成するためには、どんな顧客化ステップ指標をどれだけ変えていかなければいけないのかを判断することができる。予測ＧＵＩには、更に、上記（１）及び（２）のうちの少なくとも一つの重回帰式の各回帰係数及び／又は各相関係数が表示されてもよい。本実施形態で言う「相関係数」とは、目的変数との関連性の度合いを表す係数であり、重回帰式における説明変数の重みを意味する回帰係数とは種類が異なる。
【手続補正３】
【補正対象書類名】明細書
【補正対象項目名】００４３
【補正方法】変更
【補正の内容】
【００４３】
なお、図８Ａや図８Ｂには、最終目標指標値と各顧客化ステップ指標値との関連性を示したが、目標指標値予測モジュール１２１は、予測ＧＵＩとは別のＧＵＩで、各顧客化ステップ指標毎に、顧客化ステップ指標値と、一以上の要因種類との関連性を表示してよい。別のＧＵＩは、予測ＧＵＩのポップアップで、或いは予測ＧＵＩを縮小することにより生じたスペースに、表示して良い。その別のＧＵＩでは、必要指標値に対応した更新後要因値を表示して良い。更新後要因値とは、必要指標値を得るために必要であるとして算出された予測値である。更新後要因値は、顧客化ステップ指標値に関わる各種要因の各回帰係数を基に算出することができる。ユーザは、その別のＧＵＩを閲覧することにより、各必要指標値を得るためにはどの種類の要因をどれだけ変えていかなければいけないのかを判断することができる。
【手続補正４】
【補正対象書類名】明細書
【補正対象項目名】００５１
【補正方法】変更
【補正の内容】
【００５１】
すなわち、係数更新モジュール１２３は、各顧客化ステップ指標毎に、相関係数とは別種の係数の一つである回帰係数を算出することができる。ここで言う回帰係数とは、顧客化ステップ指標と最終目標指標との関連の深さを表す係数である。各顧客化ステップ指標に対応する各回帰係数は、ＤＷＨ１０９に含めることができる。この各回帰係数を用いて、ユーザが目標とする目標指標値を得るための顧客化ステップ指標値（図８Ｂに例示した前述の必要指標値）が目標指標値予測モジュール１２１によって計算される。例えば、認知率の回帰係数が購入意向率の回帰係数の３倍である場合には、認知率に対応した必要指標値とその必要指標値が算出される前の認知率の値との違い（例えば、比率或いは差分）は、購入意向率に対応した必要指標値とその必要指標値が算出される前の購入意向率の値との違いの３倍となる。具体的には、例えば、購入意向率を５％向上させないといけない場合、認知率はその３倍の１５％向上させないといけないという計算結果となる。
【手続補正５】
【補正対象書類名】明細書
【補正対象項目名】００５３
【補正方法】変更
【補正の内容】
【００５３】
なお、前述した「最適な相関係数になるまで」とは、「新しく追加された月次データ群を利用して様々な変数や様々な期間を設定して重回帰分析を行い、重回帰式によって算出された値である相関係数が最も大きくなる組み合わせが得られるまで」という意味であり、その最も大きくなる組み合わせが、「最適な相関」の状態である。ただし、目的変数と、説明変数の間には、明らかな正・負の相関がある場合（例えば購入意向率とシェアは正の相関など）があり、これらの正・負の関係が正しい関係の場合のみにおいて「最適な相関」が成り立つ。